(57)【要約】【課題】デザインや配置の自由度が大きく、かつ生産性を向上させることのできる入出力装置を提供する。【解決手段】それぞれ異なる制御機能を有した複数の制御指示ユニット１と、制御指示ユニットを装着可能な複数のユニット装着部２と、制御指示ユニット１の入出力信号に対する制御をユニット装着部２を介して行う制御部３とからなる入出力装置において、制御指示ユニット１はそれぞれ異なる入力信号を出力するスイッチ部１０と、制御部３から出力された情報のうちそれぞれの制御機能に対応した情報を表示する表示部１３を有し、制御部３はスイッチ部１０から出力された入力信号によって制御指示ユニット１を判別する。【選択図】  図２
2004335117.tif 000002
【特許請求の範囲】
【請求項１】
それぞれ異なる制御機能を有した複数の制御指示ユニットと、該制御指示ユニットを装着可能な複数のユニット装着部と、上記制御指示ユニットの入出力信号に対する制御を上記ユニット装着部を介して行う制御部とからなる入出力装置において、
上記制御指示ユニットはそれぞれ異なる入力信号を出力するスイッチ部と、上記制御部から出力された情報のうちそれぞれの制御機能に対応した情報を表示する表示部を有し、
上記制御部は上記スイッチ部から出力された入力信号によって上記制御指示ユニットを判別することを特徴とする入出力装置。
【請求項２】
それぞれ異なる制御機能を有した複数の制御指示ユニットと、該制御指示ユニットを装着可能な複数のユニット装着部と、上記制御指示ユニットの入出力信号に対する制御を上記ユニット装着部を介して行う制御部とからなる入出力装置において、
上記制御指示ユニットは入力信号を出力するスイッチ部と、上記制御部から出力された情報のうちそれぞれの制御機能に対応した情報を表示する表示部と、それぞれ異なる検出信号を上記ユニット装着部を介して制御部に出力する検出部を有し、
上記制御部は上記検出部から出力された検出信号によって上記制御指示ユニットを判別すると共に、上記検出信号に応じた情報を上記制御指示ユニットの表示部に出力することを特徴とする入出力装置。
【請求項３】
上記制御指示ユニットは複数対のショーティング可能なランド部を含む所要の回路パターンが形成された回路基板を備え、上記複数対のランド部のいずれかを選択的にショーティングして、それぞれの上記スイッチから異なる入力信号を出力することを特徴とする請求項１記載の入出力装置。
【請求項４】
上記制御指示ユニットはそれぞれ異なるダイオード接続回路を備え、上記各スイッチからそれぞれ異なる検出信号を出力することを特徴とする請求項２記載の入出力装置。
【発明の詳細な説明】
【０００１】
【発明の属する技術分野】
本発明は、制御指示を行うと共にその制御指示に関する情報を表示する入出力装置に関し、特に制御指示と情報表示の機能を一体的に有したユニットの種別を自動的に判別可能とした入出力装置に関する。
【０００２】
【従来の技術】
従来、複数のスイッチを配置した入力装置が用いられている。このような入力装置の例としては、自動車のインストルメントパネルに配置された各種スイッチがある。このスイッチは、例えば自動車室内の空調のオンオフや温度設定等のコントロールに用いられる。また、最近では自動車のオプション装備のコントロールにもこのようなスイッチが用いられることもある。これらのスイッチは、特定の機能を指示するものが、車種やグレードの違いによって、必ずしも同じ配置にされるとは限らない。すなわち各スイッチの配置は、ヘッドライト光軸調整、フォグランプ点灯制御、トランクの開閉その他の様々なオプション装備のうち、どれを装備しているかにより、またユーザが使いやすいように配置を変更することを希望する場合もある。
【０００３】
このため、従来から種類の異なる複数のスイッチを入れ替え可能とした入力装置が提案されている。このような入力装置としては、特許文献１〜３に示すように、基板上にそれぞれ独立して接点の切換を行うことのできる複数の駆動ピンを有する複数組のスイッチを設け、各スイッチに装着されるキートップの形状がそれぞれ異なり、キートップ毎に異なる駆動ピンの組合せを駆動できるようにして、それぞれのスイッチから異なる認識信号が出力されるようにしたものがある。このようにすることで、キートップをカセット式に交換するだけで、各キートップの機能に対応した動作を行わせることができる。
【０００４】
また、特許文献４に示すように、各スイッチにそれぞれ異なるダイオード接続回路を内蔵させ、各スイッチがそれぞれ異なる信号を出力し、それによってスイッチを判別する判定部を備えたものもある。さらに、特許文献５に示すように、各スイッチにショーティング可能な複数のランド部を有する回路基板を内蔵させ、ランド部のいずれかをショーティングさせることで、各スイッチに固有の機能を設定し、それぞれのスイッチを判別するようにしたものもある。
【０００５】
【特許文献１】
特開平１０−３３４７６５号公報
【特許文献２】
特開２００１−２３６８４９号公報
【特許文献３】
特開平１０−２６９００２号公報
【特許文献４】
特開平１１−１８５５６０号公報
【特許文献５】
特開２００１−６４７６号公報
【０００６】
【発明が解決しようとする課題】
しかし、従来の入力装置は以下に述べる問題点を有していた。
エアコンの制御においては、設定温度や吹出口の設定、及び風量の設定などは小さなディスプレイに表示されたそれらに関する情報を基に、スイッチ操作を行うことが多い。したがって、スイッチを自在に入換えることができても、ディスプレイがあるために入れ替えの自由度が低くなると共に、それぞれのスイッチに対するデザインも限られることになる。したがって、上記のような入力装置はエアコンの制御には適用しにくい。
【０００７】
本発明は、上記課題を解決すべくなされたものであり、デザインや配置の自由度が大きく、かつ生産性を向上させることのできる入出力装置を提供することを目的とする。
【０００８】
【課題を解決するための手段】
上記課題を解決するため、本発明に係る入出力装置は、それぞれ異なる制御機能を有した複数の制御指示ユニットと、該制御指示ユニットを装着可能な複数のユニット装着部と、上記制御指示ユニットの入出力信号に対する制御を上記ユニット装着部を介して行う制御部とからなる入出力装置において、
上記制御指示ユニットはそれぞれ異なる入力信号を出力するスイッチ部と、上記制御部から出力された情報のうちそれぞれの制御機能に対応した情報を表示する表示部を有し、
上記制御部は上記スイッチ部から出力された入力信号によって上記制御指示ユニットを判別することを特徴として構成されている。
【０００９】
また、本発明に係る入出力装置は、それぞれ異なる制御機能を有した複数の制御指示ユニットと、該制御指示ユニットを装着可能な複数のユニット装着部と、上記制御指示ユニットの入出力信号に対する制御を上記ユニット装着部を介して行う制御部とからなる入出力装置において、
上記制御指示ユニットは入力信号を出力するスイッチ部と、上記制御部から出力された情報のうちそれぞれの制御機能に対応した情報を表示する表示部と、それぞれ異なる検出信号を上記ユニット装着部を介して制御部に出力する検出部を有し、
上記制御部は上記検出部から出力された検出信号によって上記制御指示ユニットを判別すると共に、上記検出信号に応じた情報を上記制御指示ユニットの表示部に出力することを特徴として構成されている。
【００１０】
さらに、本発明に係る入出力装置は、上記制御指示ユニットは複数対のショーティング可能なランド部を含む所要の回路パターンが形成された回路基板を備え、上記複数対のランド部のいずれかを選択的にショーティングして、それぞれの上記スイッチから異なる入力信号を出力することを特徴として構成されている。
【００１１】
さらにまた、本発明に係る入出力装置は、上記制御指示ユニットはそれぞれ異なるダイオード接続回路を備え、上記各スイッチからそれぞれ異なる入力信号を出力することを特徴として構成されている。
【００１２】
【発明の実施の形態】
本発明の実施形態について、図面に沿って詳細に説明する。本実施形態では、入出力装置を自動車のエアコン制御に適用したものを示す。図１は本実施形態における入出力装置及びそれが用いられている自動車のインストルメントパネルを示した概要図である。また、図２は本実施形態における入出力装置の組立斜視図である。これら各図において本実施形態における入出力装置は、異なる制御機能を有したスイッチ部１０と、それぞれの制御機能に対応した表示を行う表示部１３を備えた３つの制御指示ユニット１を、自動車のインストルメントパネルに設けられたユニット装着部２に挿入、取付けしてなるものである。
【００１３】
制御指示ユニット１は、エアコンの制御を行うもので、それぞれ温度設定、吹出口モード設定、及び風量設定の機能を割当てられている。温度設定は制御指示ユニット１Ａで行い、吹出口モード設定は制御指示ユニット１Ｂで行い、風量設定は制御指示ユニット１Ｃで行う。そこで、温度設定する制御指示ユニット１Ａには、設定温度を上下するためにスイッチ部１０Ａが設けられる。また、吹出口モード設定する制御指示ユニット１Ｂは、スイッチを押すたびにモードが切替わるようなスイッチ部１０Ｂが設けられている。さらに、風量設定する制御指示ユニット１Ｃにも、風量を上下するためにそれぞれスイッチ部１０Ｃが設けられる。
【００１４】
また、制御指示ユニット１には、それぞれ表示部１３が一体的に設けられている。表示部１３に表示されるのはそれぞれの制御機能に対応したものであり、温度設定する制御指示ユニット１Ａの表示部１３Ａには、設定温度が表示され、吹出口モード設定する制御指示ユニット１Ｂの表示部１３Ｂには、吹出口のモードが表示され、風量設定する制御指示ユニット１Ｃの表示部１３Ｃには、現在の風量を示す表示がなされる。
さらに、制御指示ユニット１には、それぞれその背面にコネクタ１４を有し、ユニット装着部２に設けられるコネクタ２１と接続されて信号の入出力を行う。
【００１５】
ユニット装着部２は、自動車のインストルメントパネルに取付けられるもので、制御指示ユニット１の外径に略適合する開口部２０を有している。本実施形態では、制御指示ユニット１は３つなので、開口部２０も３つ設けられる。また、このユニット装着部２は図１及び図２に示すように横方向に３つ並べて配置しているが、ユニット装着部２の配置はこれに限られず、例えば縦に３つ並べるように配置してもよい。各開口部２０には、コネクタ２１が設けられており、装着された制御指示ユニット１との信号の入出力を行う。
【００１６】
各制御指示ユニット１には、その側面において挿入方向に細長く突部を２つ１組で設けて溝部１６を形成し、一方ユニット装着部２には、その内側面において制御指示ユニット１の溝部１６に略適合する突部２３を形成する。これにより、制御指示ユニット１をユニット装着部２の開口部２０に挿入することで、溝部１６に突部２３を挿入させ、制御指示ユニット１を固定することができる。
【００１７】
図３には、本実施形態における入出力装置のシステム図を示す。この図に示すように、各制御指示ユニット１のコネクタ１４はユニット装着部２のコネクタ２１に対して接続される。各制御指示ユニット１のスイッチ部１０から入力された信号は、ユニット装着部２を介して制御部３に出力される。また、制御部３はスイッチ部１０からの入力信号に基づいて、表示部ドライバ４に対して各制御指示ユニット１に表示する情報を出力させる。この情報は、設定温度、吹出口モード、風量の情報からなり、各制御指示ユニット１の表示部１３に対して、ユニット装着部２を介して出力される。各表示部１３は、設定温度情報、吹出口モード情報、風量情報を含む情報から、その制御指示ユニット１の制御機能に対応した表示を行う。
【００１８】
各制御指示ユニット１のスイッチ部１０は、コネクタ１４に設けられた複数のピン１５、１５のうち、入力信号を出力するピン１５、１５の組合せをそれぞれ異なるパターンとすることにより、それぞれ異なる入力信号を出力するものである。制御部３に設けられたユニット判定部３ａでは、入力信号を判別することにより、その入力信号を出力した制御指示ユニット１の種類を判別する。制御指示ユニット１毎に異なる入力信号を出力するための構成について、以下説明する。
【００１９】
図４は、本実施形態における入出力装置の配線図を示している。この図に示すように、本実施形態における入出力装置では、制御指示ユニット１にはそれぞれ８本のピン１５が設けられており、ユニット装着部２にはそれらのピン１５を差込む端子２２が設けられている。ここで、１〜４番のピンは、表示部１３に対する信号線であり、これらは表示部ドライバ４を介して制御部３に接続される。５〜８番のピンは、制御指示ユニット１毎に異なる入力信号を出力するものである。本実施形態では、温度設定の制御指示ユニット１Ａにはスイッチ１１Ａ、１２Ｂと２つ設けられ、吹出口モード設定の制御指示ユニット１Ｂにはスイッチ１１Ｂが１つ設けられ、風量設定の制御指示ユニット１Ｃにはスイッチ１１Ｃ、１２Ｃと２つ設けられるので、合計で５つのスイッチが存在し、それぞれについて異なる信号パターンを出力するように構成されている。
【００２０】
温度設定を行う制御指示ユニット１Ａは、５番〜８番のピンにジャンパによって接続可能なランド部３０Ａ、３１Ａ、３２Ａ、３３Ａがそれぞれ接続されている。また、５番と６番のピンはランド部３０Ａ、３１Ａを介して接続され、さらにスイッチ１１Ａとアース端子３８Ａが接続されている。一方、７番と８番のピンもランド部３２Ａ、３３Ａを介して接続され、さらにスイッチ１２Ａとアース端子３９Ａが接続されている。そして、５番に接続されたランド部３０Ａと、７番に接続されたランド部３２Ａにジャンパ３４Ａ、３６Ａを設けており、５番のピンと７番のピンはそれぞれに接続されたスイッチ１１Ａ、１２Ａを操作すると、それぞれアース端子３８Ａ、３９Ａに導通する。
【００２１】
吹出口モード設定を行う制御指示ユニット１Ｂは、５番と６番のピンにジャンパによって接続可能なランド部３０Ｂ、３１Ｂがそれぞれ接続されている。また、５番と６番のピンはランド部３０Ｂ、３１Ｂを介して接続され、さらにスイッチ１１Ｂとアース端子３８Ｂが接続されている。そして、６番に接続されたランド部３１Ｂにジャンパ３５Ｂを設けており、６番のピンはそれに接続されたスイッチ１１Ｂを操作すると、アース端子３８Ｂに導通する。
【００２２】
風量設定を行う制御指示ユニット１Ｃは、５番〜８番のピンにジャンパによって接続可能なランド部３０Ｃ、３１Ｃ、３２Ｃ、３３Ｃがそれぞれ接続されている。また、５番と６番のピンはランド部３０Ｃ、３１Ｃを介して接続され、さらにスイッチ１１Ｃとアース端子３８Ｃが接続されている。一方、７番と８番のピンもランド部３２Ｃ、３３Ｃを介して接続され、さらにスイッチ１２Ｃとアース端子３９Ｃが接続されている。そして、５番に接続されたランド部３０Ｃと６番に接続されたランド部３１Ｃ、及び８番に接続されたランド部３３Ｃにそれぞれジャンパ３４Ｃ、３５Ｃ、３７Ｃを設けており、５番と６番のピンはそれらに接続されたスイッチ１１Ｃを操作すると、アース端子３８Ｃに導通し、また８番のピンはそれに接続されたスイッチ１２Ｃを操作すると、アース端子３９Ｃに導通する。
【００２３】
これらの各制御指示ユニット１は、スイッチ毎にジャンパによるショーティングのパターンが異なるので、それぞれのスイッチを操作すると、それぞれ異なった入力信号を出力し、それによって制御指示ユニット１の判別を行っている。例えば、温度設定を行う制御指示ユニット１Ａがユニット装着部２Ａに装着されており、設定温度を変更するようにスイッチ１１Ａ、１２Ａのいずれかを操作した場合、ジャンパ３４Ａまたはジャンパ３６Ａによってショーティングされた５番のピンまたは７番のピンに対応したユニット装着部２Ａの５番の端子または７番の端子の電圧が低レベルになり、これによって制御部３のユニット判定部３ａは、入力がされた制御指示ユニット１Ａは温度設定を行うものであることを判別し、入力された信号が温度設定の信号であることを認識する。
【００２４】
同様にして、吹出口モード設定の制御指示ユニット１Ｂが操作された場合には、ユニット装着部２Ｂの６番の端子の電圧が低レベルになり、また風量設定の制御指示ユニット１Ｃが操作された場合には、ユニット装着部２Ｃの５番と６番の端子の電圧が同時に低レベルになるか、８番の端子の電圧が低レベルになることにより、制御部３のユニット判定部３ａは、それぞれ入力がされた制御指示ユニット１の種類を判別することができる。
【００２５】
このように、ユニット装着部２は全て同じ構成であり、また制御指示ユニット１はそれぞれのスイッチが操作された場合にそれぞれ異なった入力信号を出力するようにしているので、異なる制御機能を有する複数の制御指示ユニット１をいずれのユニット装着部２にも装着することができる。すなわち、複数の制御指示ユニット１は複数のユニット装着部２に対して、どのようにも配置することができる。しかも、それぞれの制御指示ユニット１は表示部１３を備えており、それぞれの制御機能に対応した表示を行うようにされているので、表示部１３を伴って制御指示ユニット１の配置を自由に入れ替えることができ、デザインの自由度を高くすることができる。
【００２６】
次に、本発明の第２の実施形態について説明する。本実施形態のシステム図を図５に示す。本実施形態の入出力装置は、各制御指示ユニット１がユニット装着部２に装着されると、あらかじめ検出部１７からの検出信号により、制御部３のユニット判定部３ａで制御指示ユニット１の判別を行っておき、それによって各表示部１３に対する情報の出力を制御するものである。
【００２７】
図６は、本実施形態における入出力装置の配線図を示している。この図に示すように、本実施形態における入出力装置では、制御指示ユニット１にはそれぞれ１３本のピン１５が設けられており、ユニット装着部２にはそれらのピン１５を差込む端子２２が設けられている。ここで、１〜５番のピンは、表示部１３に対する信号線であり、これらはそれぞれのユニット装着部２に対応した表示部ドライバ４を介して制御部３に接続される。６〜１３番のピンは、制御指示ユニット１毎に異なる検出信号またはスイッチのオンオフを出力するものである。
【００２８】
温度設定を行う制御指示ユニット１Ａは、６番と９番のピンの間に、ダイオード４０Ａとスイッチ１１Ａが直列に接続され、９番と８番のピンの間に、ダイオード４２Ａが接続される。また、１０番と１３番のピンの間に、ダイオード４３Ａとスイッチ１２Ａが直列に接続され、１３番と１２番のピンの間に、ダイオード４５Ａが接続される。なお、７番のピンと１１番のピンは、いずれも開放されている。
【００２９】
吹出口モード設定を行う制御指示ユニット１Ｂは、６番と１３番のピンの間に、ダイオード４０Ｂとスイッチ１１Ｂが直列に接続され、１３番と７番の間及び１３番と８番の間に、それぞれダイオード４１Ｂ、４２Ｂが接続される。なお、９〜１２番のピンは、いずれも開放されている。
【００３０】
風量設定を行う制御指示ユニット１Ｃは、６番と９番のピンの間に、ダイオード４０Ｃとスイッチ１１Ｃが直列に接続され、９番と７番のピンの間に、ダイオード４１Ｃが接続される。また、１０番と１３番のピンの間に、ダイオード４３Ｃとスイッチ１２Ｃが直列に接続され、１３番と１１番のピンの間に、ダイオード４４Ｃが接続される。なお、８番のピンと１２番のピンは、いずれも開放されている。
【００３１】
これらの各制御指示ユニット１は、それぞれダイオードの接続配置を変えることで、それぞれ異なった検出信号を出力するようにして、制御指示ユニット１の判別を行っている。例えば、温度設定を行う制御指示ユニット１Ａが装着されたユニット装着部２Ａの９番と１３番の端子に制御部３からスキャン信号が供給されると、このスキャン信号は制御指示ユニット１Ａの９番と１３番のピンに供給された後、９番と８番のピンの間に接続されているダイオード４２Ａを通じて８番のピンに伝送され、また１３番と１２番のピンの間に接続されているダイオード４５Ａを通じて１２番のピンに伝送される。そして、ユニット装着部２Ａの８番と１２番の端子から検出信号として制御部３に送られる。
【００３２】
同様にして吹出口モード設定を行う制御指示ユニット１Ｂにスキャン信号が供給された場合には、制御指示ユニット１Ｂの７番と８番のピンから検出信号が伝送され、ユニット装着部２Ｂの７番と８番の端子から検出信号として制御部３に送られる。また、風量設定を行う制御指示ユニット１Ｃにスキャン信号が供給された場合には、制御指示ユニット１Ｃの７番と１１番のピンから検出信号が伝送され、ユニット装着部２Ｃの７番と１１番の端子から検出信号として制御部３に送られる。
【００３３】
各制御指示ユニット１からの検出信号を受けた制御部３のユニット判定部３ａは、検出信号が出力されたピンの組合せによって、その制御指示ユニット１の判別を行う。例えば、ユニット装着部２Ａに装着された制御指示ユニット１Ａからの検出信号が、８番と１２番の端子から出力されていれば、ユニット装着部２Ａには温度設定を行う制御指示ユニット１Ａが装着されているということを、ユニット判定部３ａは認識することができる。他のユニット装着部２に装着された制御指示ユニット１についても、同様にして認識する。
【００３４】
制御部３は、各ユニット装着部２に装着された制御指示ユニット１を認識したら、それぞれの機能に応じた情報を表示部ドライバ４に出力させる。例えば、上記のようにユニット装着部２Ａに装着された制御指示ユニット１Ａが温度設定を行うものであることを認識した場合には、制御指示ユニット１Ａに対して設定温度の情報を出力するように表示部ドライバ４Ａを動作させる。他の制御指示ユニット１についても、同様にユニット判定部３ａによって判定された制御指示ユニット１の機能に応じた情報をそれぞれ表示部ドライバ４に出力させるようにする。
【００３５】
このように構成することで、各制御指示ユニット１の制御機能に応じた情報が各表示部１３に伝送されるので、制御指示ユニット１の表示部１３を共通化することができる。この場合には、制御指示ユニット１のコネクタ１４に設けられる表示部１３用のピン１５は、表示部１３が共通であることからそれぞれ同じ本数とする必要がある。例えば、設定温度表示には３ピン必要で、吹出口モード表示には５ピン必要で、風量表示には２ピン必要であるとすると、最も多くのピンが必要な吹出口モード表示に合わせて、それぞれ５ピンが設けられる。また、ユニット装着部２にはそれに合わせて各表示部１３のために５つずつの端子２２が設けられることは言うまでもない。
【００３６】
また、このようにスイッチの入力によらず、検出信号によって制御指示ユニット１を判別する場合でも、表示部１３を制御指示ユニット１毎に異なる構成としてもよい。すなわち、例えば温度設定の制御指示ユニット１には温度のみを表示する表示部１３を設け、その他の表示部１３についても、それを設ける制御指示ユニット１の制御機能に応じた表示のみを行うものを用いることができる。この場合には、ユニット装着部２に各表示部１３に必要なピン数を累積した端子２２を設けることになる。すなわち、上述の例のように設定温度表示には３ピン必要で、吹出口モード表示には５ピン必要で、風量表示には２ピン必要であるとすると、端子２２を１０個設ける。そして、制御部３は各表示部ドライバ４に対して、それに接続された制御指示ユニット１の制御機能に応じた情報の信号のみを出力させる。つまり、例えばユニット装着部２Ａに温度設定の制御指示ユニット１Ａが装着されていることを認識したら、表示部ドライバ４Ａに対して設定温度の情報のみを出力させる。
【００３７】
以上、本発明の実施形態について説明したが、本発明の適用はこれらに限られるものではなく、その技術的思想の範囲において様々に適用されうるものである。例えば、上記実施形態では、自動車のエアコンの制御を行う入出力装置に本発明を適用したものを示したが、これには限られず、スイッチと表示部が一組となったものが複数設けられる入出力装置であれば、どのようなものにも適用でき、それによってそれらの配置を自由に変更することができるようになる。
【００３８】
【発明の効果】
以上のように本発明によれば、制御指示ユニットはそれぞれ異なる入力信号を出力するスイッチ部と、制御部から出力された情報のうちそれぞれの制御機能に対応した情報を表示する表示部を有し、スイッチ部から出力された入力信号によってユニットを判別することにより、スイッチによる制御の結果や状態を表示する表示部とスイッチを一体的にしたものであっても配置を自由に入れ替えることができ、デザイン性を高めることができる。また、スイッチと表示部を一体的に製造し、また組立てできるので、生産性を高めることができる。
【００３９】
また、本発明によれば、制御指示ユニットに検出部を設け、そこからの検出信号によってユニットを判別することにより、表示部を共通化しても、表示部とスイッチを一体的にしたものを、配置自在とすることができる。したがって、生産性をより高めることができる。
【図面の簡単な説明】
【図１】本実施形態における入出力装置及びそれが用いられている自動車のインストルメントパネルを示した概要図である。
【図２】本実施形態における入出力装置の組立斜視図である。
【図３】第１の実施形態における入出力装置のシステム図である。
【図４】第１の実施形態における入出力装置のブロック図である。
【図５】第２の実施形態における入出力装置のシステム図である。
【図６】第２の実施形態における入出力装置のブロック図である。
【符号の説明】
１        制御指示ユニット
２        ユニット装着部
３        制御部
３ａ      ユニット判定部
４        表示部ドライバ
１０        スイッチ部
１３        表示部
１７        検出部
【図１】
2004335117.tif 000003
【図２】
2004335117.tif 000004
【図３】
2004335117.tif 000005
【図４】
2004335117.tif 000006
【図５】
2004335117.tif 000007
【図６】
2004335117.tif 000008